(57)【要約】【課題】設置が容易であり、且つ、野地板や鼻板に水分が侵入することを適切に防止することができる雨樋用保持具を提供する。【解決手段】雨樋用保持具１は、基台部２１と、支持部７と、保持部３２と、水切り部材５とを備える。基台部２１は、鼻板に取り付けるための部分である。支持部７は、基台部２１から前方に延びた部分である。保持部３２は、支持部７の前側に設けられ、屋根先付近で軒樋６を保持する部分である。水切り部材５は、水分が鼻板側に浸入することを抑制するための部材である。支持部７の上面には、水切り部材５を設置するための第１係止部２３及び第２係止部２４が設けられている。第１係止部２３は、支持部７の上面の鼻板側の端部に設けられている。水切り部材５は、前方に行く程下がるように傾斜している。【選択図】図１
2019100029.tif 000002
【特許請求の範囲】
【請求項１】
鼻板に取り付けるための基台部と、
前記基台部から前方に延びた支持部と、
前記支持部の前側に設けられ、屋根先付近で軒樋を保持する保持部と、
水分が前記鼻板側に浸入することを抑制するための水切り部材と、を備え、
前記支持部の上面には、前記水切り部材を設置するための第１係止部及び第２係止部が設けられており、
前記第１係止部は、前記支持部の上面の前記鼻板側の端部に設けられており、
前記第２係止部は、前記支持部の上面において、前記第１係止部よりも前方に設けられており、
前記水切り部材は、前方に行く程下がるように傾斜している、雨樋用保持具。
【請求項２】
前記水切り部材の前側端部は、前記保持部に保持される軒樋の後壁の内面よりも前方となる、請求項１記載の雨樋用保持具。
【請求項３】
前記支持部は、前記基台部に連結したアーム部と、前記アーム部に前後方向にスライド可能に設置された可動支持部と、を有し、
前記保持部は、前記可動支持部に設けられている、請求項１又は２記載の雨樋用保持具。
【請求項４】
前記鼻板に取り付けるための取付部と、前方に延びた挿入部と、前記取付部と前記挿入部との間の延長部と、を有する延長用取付部材を、さらに備え、
前記基台部には、前記挿入部を挿入可能な開口部が設けられており、
前記延長用取付部材は、前記挿入部が前記アーム部と前記可動支持部との間で保持されることで、前記取付部が前記基台部よりも後方にある状態で、前記アーム部に前後方向にスライド可能に設置される、請求項３記載の雨樋用保持具。
【請求項５】
前記延長用取付部材は、前記挿入部と前記延長部とが略同一直線となることで、側面視Ｌ字状である、請求項４記載の雨樋用保持具。
【請求項６】
前記延長部は、前記挿入部から下方に延出した後に、後方に延出している、請求項４記載の雨樋用保持具。
【請求項７】
前記アーム部と前記可動支持部とは、ねじにより固定され、
前記可動支持部に、前後方向に細長い、ねじ用孔があることで、前記可動支持部が前記アーム部に前後方向にスライド可能に設置される、請求項３〜６のいずれか一項記載の雨樋用保持具。
【請求項８】
前記アーム部と前記可動支持部と前記挿入部とは、ねじにより固定され、
前記挿入部に、前後方向に細長い、ねじ用孔があることで、前記延長用取付部材が前記アーム部に前後方向にスライド可能に設置される、請求項４〜６のいずれか一項記載の雨樋用保持具。
【発明の詳細な説明】
【技術分野】
【０００１】
本発明は、軒先において鼻板に設置される雨樋用保持具に関する。
【背景技術】
【０００２】
従来、雨樋を設置するための吊具であって、鼻板側に水が浸入しにくくするための水切りを備えるものが開発されている（例えば、特許文献１）。特許文献１では、軒樋吊り具の取付脚と屋根の野地板とに固定された水切り板が開示されている。
【先行技術文献】
【特許文献】
【０００３】
【特許文献１】特開２０００−２７４０３１号公報
【発明の概要】
【発明が解決しようとする課題】
【０００４】
しかしながら、特許文献１に係る水切り板は、屋根の下側にある野地板に釘等の固定具で設置しなければばらないため、軒樋吊り具の設置が煩雑である。また、水切り板が野地板に直接設置されていることで、水切り板を通じて野地板に水分が侵入する場合も予想される。
【０００５】
本発明は上記課題に鑑みてなされたものである。その目的は、設置が容易であり、且つ、野地板や鼻板に水分が侵入することを適切に防止できる雨樋用保持具を提供することである。
【課題を解決するための手段】
【０００６】
上記課題を解決するために、本発明に係る雨樋用保持具は、鼻板に取り付けるための基台部と、前記基台部から前方に延びた支持部と、前記支持部の前側に設けられ、屋根先付近で軒樋を保持する保持部と、水分が前記鼻板側に浸入することを抑制するための水切り部材と、を備え、前記支持部の上面には、前記水切り部材を設置するための第１係止部及び第２係止部が設けられており、前記第１係止部は、前記支持部の上面の前記鼻板側の端部に設けられており、前記第２係止部は、前記支持部の上面において、前記第１係止部よりも前方に設けられており、前記水切り部材は、前方に行く程下がるように傾斜している。
【発明の効果】
【０００７】
本発明に係る雨樋用保持具を用いれば、設置が容易であり、且つ、野地板や鼻板に水分が侵入することを適切に防止するができる。
【図面の簡単な説明】
【０００８】
【図１】実施の形態１に係る雨樋用保持具の概略的な側面図
【図２】実施の形態１に係る雨樋用保持具の概略的な斜視図
【図３】実施の形態２に係る取付部材と軒樋保持部材とＬ字状の延長用固定部材とを示した概略的な斜視図
【図４】実施の形態２に係る取付部材と軒樋保持部材とＺ字状の延長用固定部材とを示した概略的な斜視図
【発明を実施するための形態】
【０００９】
以下では、本発明の実施の形態に係る雨樋用保持具について、図面を用いて詳細に説明
する。なお、以下に説明する実施の形態は、いずれも本発明の一例を示すものであって、数値、材料、構成要素等についても一例に過ぎず、本発明を限定する趣旨のものではない。
【００１０】
また、各図は模式図であり、必ずしも厳密に図示されたものではない。また、各図において、実質的に同一の構成については、同一の符号を付しており、重複する説明は省略又は簡略化する。
【００１１】
（実施の形態１）
以下、実施の形態１に係る雨樋用保持具１について、図１及び２を用いて説明する。ここで、図１は、実施の形態１に係る雨樋用保持具の概略的な側面図である。また、図２は、実施の形態１に係る雨樋用保持具の概略的な斜視図である。
【００１２】
［構成］
雨樋用保持具１は、屋根先付近において軒樋６を保持するために用いられ、鼻板に所定の間隔で設置されるものである。雨樋用保持具１は、基台部２１によって鼻板に設置される。基台部２１からは、雨樋用保持具１の前方に向かって支持部７が設けられており、支持部７の前側に軒樋６を保持するための保持部３２が設けられている。軒樋６としては、例えば、樹脂性や金属製のものを用いることができる。
【００１３】
実施の形態１において、雨樋用保持具１は、取付部材２と、軒樋保持部材３と、水切り部材５と、の３つの部材を備える。支持部７は、実施の形態１において、取付部材２のアーム部２２と、軒樋保持部材３の可動支持部３１と、が雨樋用保持具１の前後方向にスライド可能に設置されることで構成されている。
【００１４】
取付部材２は、雨樋用保持具１を鼻板に設置するための部材である。取付部材２の素材としては、例えば、アルミ等の金属や樹脂を用いることができる。取付部材２は、基台部２１と、アーム部２２と、を備える。基台部２１は、雨樋用保持具１を鼻板に設置するために用いられる。基台部２１は、例えば、ねじや釘等で鼻板に固定される。
【００１５】
アーム部２２は、基台部２１から前方に向かって設けられており、支持部７の一部を構成している。アーム部２２の上面には、水切り部材５を設置するための第１係止部２３及び第２係止部２４が設けられている。第１係止部２３及び第２係止部２４は、それぞれ、水切り部材５の後端部及び前端部において、水切り部材５を引っ掛けて設置する。
【００１６】
軒樋保持部材３は、取付部材２のアーム部２２に設置され、軒樋６を保持するために用いられる。軒樋保持部材３の素材としては、例えば、アルミ等の金属や樹脂を用いることができる。軒樋保持部材３は、可動支持部３１と、保持部３２と、を備える。可動支持部３１は、軒樋保持部材３において、アーム部２２に設置される部分であり、アーム部２２とともに支持部７を構成している。
【００１７】
保持部３２は、軒樋６を保持する部分である。実施の形態１において、保持部３２は、前面保持部３２ａと、後面保持部３２ｂとを有する。そして、保持部３２は、前面保持部３２ａと後面保持部３２ｂとで、軒樋６の前面と後面の２箇所において軒樋６を引っ掛けて保持している。
【００１８】
水切り部材５は、雨樋用保持具１において、鼻板側に雨水等の水分が浸入しないようにするための部材である。水切り部材５は、板状の部材であり、その後側端部及び前側端部は、第１係止部２３及び第２係止部２４に引っ掛かるように形成されている。
【００１９】
水切り部材５は、前方に行く程下がるように傾斜しているため、雨樋用保持具１において、軒樋６よりも鼻板側に侵入しようとする水分を、前方、つまり、軒樋６側に流れるようにすることができる。
【００２０】
水切り部材５は、軒樋６と略同一の長さを有しており、複数の雨樋用保持具１によって、軒樋６に沿うように設置される。水切り部材５の素材としては、例えば、アルミ等の金属や樹脂を用いることができる。
【００２１】
実施の形態１では、取付部材２と軒樋保持部材３とは、ねじ８によって固定される。取付部材２のアーム部２２の前側端部には、ねじ８を固定するためのねじ固定部２６が設けられている。ねじ固定部２６は、例えば、ナットのように筒状でその内側にねじ山が刻まれているものを使用することができる。なお、ねじ固定部２６は、アーム部２２に埋め込まれていてもよい。
【００２２】
軒樋保持部材３の可動支持部３１には、ねじ８のねじ部分が挿入可能で、ねじ８のねじ頭部分は挿入不可である大きさのねじ用孔３３（図３及び４参照）が開口している。ねじ用孔３３が前後方向に細長い孔となっていることで、ねじ８をねじ用孔３３に挿入し、ねじ固定部２６に螺合することで、取付部材２に軒樋保持部材３を前後方向にスライド可能に設置することができる。
【００２３】
ここで、ねじ８によって設置する際の「スライド可能に設置」とは、ねじ８を緩めることによって部材同士をスライドさせることで位置関係を調整でき、ねじ８を締めることによって部材同士がスライドしないように設置されることをいう。
【００２４】
このように、軒樋保持部材３が、取付部材２に前後方向にスライド可能に設置されていることで、鼻板から屋根先までの長さに合わせて、軒樋６を屋根先付近に保持するように調整することが可能となる。
【００２５】
［取付部材］
取付部材２は、雨樋用保持具１を屋根先付近の鼻板に取り付けるための部材である。取付部材２は、例えば、金属や樹脂等の素材からなる。取付部材２は、基台部２１と、アーム部２２とを備える。
【００２６】
基台部２１によって、雨樋用保持具１は、鼻板に取り付けられる。基台部２１には、取り付けるための孔が開いており、その孔を通してねじや釘等を鼻板に打ち込むことで、雨樋用保持具１が、鼻板に取り付けられる。なお、基台部２１は、ねじや釘等を用いず、例えば、接着剤等で鼻板に取り付けてもよい。なお、基台部２１には、開口部２５が設けられているが、実施の形態１において開口部２５は任意の構成である。
【００２７】
アーム部２２は、基台部２１から前方向に向けて延出している部分である。アーム部２２は、支持部７の一部であり、軒樋保持部材３が設置される部分である。アーム部２２の上面には、水切り部材５を設置するための第１係止部２３及び第２係止部２４が設けられている。
【００２８】
ここで、アーム部２２の上面とは、アーム部２２の上面と連なった面も含み、例えば、アーム部２２が基台部２１の上端部から延出している場合は、基台部２１の上面も含むものとする。
【００２９】
第１係止部２３は、アーム部２２の上面の鼻板側の端部、つまり、後側の端部に設けられている。第１係止部２３は、溝状の形状であり、第１係止部２３の溝に水切り部材５の
後側端部を差し込むことで、水切り部材５の後側端部が設置される。
【００３０】
第２係止部２４は、アーム部２２の上面であって、水切り部材５の前側端部が軒樋６の後壁の内面６１よりも前方になるような位置に設けられている。第２係止部２４は、アーム部２２の上面から突出した突起状である。
【００３１】
第２係止部２４は、アーム部２２の上面から上方向に突出し、前方向に屈曲している。水切り部材５の前側端部を、前方向に屈曲している第２係止部２４とアーム部２２の上面との間に差し込むことで、水切り部材５の前側端部が設置される。
【００３２】
なお、第１係止部２３及び第２係止部２４とは、上記構成に限定されるものではない。例えば、第１係止部２３が突起状であり、第２係止部２４が溝状であってもよい。また、第１係止部２３と第２係止部２４の双方が溝状であってもよく、或いは、第１係止部２３と第２係止部２４の双方が突起状であってもよい。
【００３３】
［軒樋保持部材］
軒樋保持部材３は、軒樋６を保持するための部材である。軒樋保持部材３は、取付部材２のアーム部２２に設置される。軒樋保持部材３は、例えば、金属や樹脂等の素材からなる。軒樋保持部材３は、可動支持部３１と、保持部３２とを備える。
【００３４】
可動支持部３１は、取付部材２のアーム部２２に設置する部分である。また、可動支持部３１は、アーム部２２とともに雨樋用保持具１の支持部７を構成する部分である。可動支持部３１には、ねじ８のねじ部分は挿入可能であるがねじ頭部分は挿入不可で、前後方向に細長いねじ用孔３３が開口している。ねじ用孔３３に挿入したねじ８をアーム部２２のねじ固定部２６に螺合することで、軒樋保持部材３を取付部材２に前後方向にスライド可能に設置することができる。
【００３５】
保持部３２は、軒樋６を保持するための部分である。実施の形態１において、保持部３２は、第１軒樋係止部３２ａ及び第２軒樋係止部３２ｂを用いて軒樋６を引っ掛けて保持する。第１軒樋係止部３２ａは、軒樋６の前壁を引っ掛ける部分である。第１軒樋係止部３２ａは、可動支持部３１の前方に設けられており、軒樋６の前壁の上端部を引っ掛けるための凹部を備える。
【００３６】
第２軒樋係止部３２ｂは、第１係止片３２ｃ及び第２係止片３２ｄを有し、第１係止片３２ｃ及び第２係止片３２ｄによって軒樋６の後壁を引っ掛ける部分である。第１係止片３２ｃ及び第２係止片３２ｄは、可動支持部３１の後方に設けられている。
【００３７】
第２係止片３２ｄには、軒樋６の後壁の上端部を引っ掛けるための突起を備えている。第２軒樋係止部３２ｂは、第２係止片３２ｄによって軒樋６の後壁を引っ掛けること、及び、第１係止片３２ｃ及び第２係止片３２ｄによって軒樋６の後壁を挟むことで軒樋６を保持する。
【００３８】
［水切り部材］
水切り部材５は、雨樋用保持具１において、鼻板側に雨水等の水分が浸入するのを防止するための部材である。水切り部材５は、アーム部２２の上面の鼻板側、つまり、後方に設置される。水切り部材５は、例えば、金属や樹脂等の素材からなる。
【００３９】
水切り部材５は、前方に行く程下がるように傾斜しているため、雨樋用保持具１において、軒樋６よりも後方に雨水等の水分が侵入した場合に、その水分を軒樋６側である前方に流すことができる。
【００４０】
なお、水切り部材５の有する傾斜は、例えば、後側端部から前側端部にかけて１つの傾きの傾斜を有するような構成としてもよいし、後側端部から前側端部にかけて徐々に傾斜の傾きが変化するような構成としてもよい。
【００４１】
水切り部材５は、板状の部材を折り曲げることで形成されており、水切り部材５の前端部と後端部は内側に向けて曲がっている。水切り部材５の内側に向けて曲がった後端部及び前端部のそれぞれを、アーム部２２の上面に設けられた第１係止部２３及び第２係止部２４に引っ掛けることで、水切り部材５は雨樋用保持具１に設置される。
【００４２】
また、水切り部材５の前側端部は、軒樋６の後壁の内面６１よりも前方になるように第２係止部２４に設置されることが好ましい。水切り部材５の前側端部が軒樋６の後壁の内面６１よりも前方にあることで、水切り部材５によって前方に流された水分を軒樋６に流し込むことができる。
【００４３】
（実施の形態に係る雨樋用保持具の効果等）
ここで、上述した実施の形態１に係る雨樋用保持具１の要点について、あらためて説明する。
【００４４】
実施の形態１に係る雨樋用保持具１は、基台部２１と、支持部７と、保持部３２と、水切り部材５とを備える。基台部２１は、鼻板に取り付けるための部分である。支持部７は、基台部２１から前方に延びた部分である。保持部３２は、支持部７の前側に設けられ、屋根先付近で軒樋６を保持する部分である。水切り部材５は、水分が鼻板側に浸入することを抑制するための部材である。支持部７の上面には、水切り部材５を設置するための第１係止部２３及び第２係止部２４が設けられている。第１係止部２３は、支持部７の上面の鼻板側の端部に設けられている。第２係止部２４は、支持部７の上面において、第１係止部２３よりも前方に設けられている。水切り部材５は、前方に行く程下がるように傾斜している。
【００４５】
上記構成を備える雨樋用保持具１によれば、水切り部材５を第１係止部２３及び第２係止部２４に引っ掛けて設置することができるため、設置が容易であり、且つ、野地板や鼻板に水分が侵入することを適切に防止することができる。
【００４６】
また、実施の形態１に係る雨樋用保持具１は、水切り部材５の前側端部は、保持部３２に保持される軒樋６の後壁の内面６１よりも前方となることが好ましい。
【００４７】
上記構成により、水切り部材５の前側端部が軒樋６の後壁の内面６１よりも前方にあることで、水切り部材５によって前方に流された水分を軒樋６に流し込むことができる。
【００４８】
また、実施の形態１に係る雨樋用保持具１は、支持部７は、基台部２１に連結したアーム部２２と、アーム部２２に前後方向にスライド可能に設置された可動支持部３１と、を有し、保持部３２は、可動支持部３１に設けられていることが好ましい。
【００４９】
上記構成により、可動支持部３１を有する軒樋保持部材３が、取付部材２に前後方向にスライド可能に設置されていることで、鼻板から屋根先までの長さに合わせて、軒樋６を屋根先付近に保持するように調整することが可能となる。
【００５０】
また、実施の形態１に係る雨樋用保持具１は、アーム部２２と可動支持部３１とはねじ８により固定され、可動支持部３１に、前後方向に細長いねじ用孔３３があることで、可動支持部３１がアーム部２２に前後方向にスライド可能に設置されることが好ましい。
【００５１】
上記構成によって、ねじ用孔３３に挿入したねじ８をアーム部２２のねじ固定部２６に螺合することで、軒樋保持部材３を取付部材２に前後方向にスライド可能に設置することができる。従って、鼻板から屋根先までの長さに合わせて、軒樋６を屋根先付近に保持するように調整することが可能となる。
【００５２】
（実施の形態２）
以下においては、本発明の実施の形態２に係る雨樋用保持具１について図３及び図４を用いて説明する。実施の形態２に係る雨樋用保持具１は、延長用取付部材４を備える点で実施の形態１に係るものとは異なる。
【００５３】
ここで、図３は、実施の形態２に係る取付部材と軒樋保持部材とＬ字状の延長用固定部材とを示した概略的な斜視図である。図４は、実施の形態２に係る取付部材と軒樋保持部材とＺ字状の延長用固定部材とを示した概略的な斜視図である。
【００５４】
以下の説明では、実施の形態１での説明との重複部分については、説明を省略或いは簡略化することがある。また、実施の形態１と同様の構成については、同じ符号を付して説明する。
【００５５】
［構成］
実施の形態２に係る雨樋用保持具１は、実施の形態１と同様に、屋根先付近において軒樋６を保持するために用いられ、鼻板に所定の間隔で設置されるものである。雨樋用保持具１は、取付部材２と軒樋保持部材３とに加え、延長用取付部材４を備える。取付部材２及び軒樋保持部材３の構成については、実施の形態１のものと同様であるが、取付部材２の基台部２１が、雨樋用保持具１を鼻板に取り付けるために用いられない点で異なる。
【００５６】
延長用取付部材４は、鼻板と屋根先との距離が特に遠い場合に用いることができる部材である。延長用取付部材４の素材としては、例えば、アルミ等の金属や樹脂を用いることができる。延長用取付部材４は、取付部４１と、挿入部４２と、延長部４３とを備える。
【００５７】
取付部４１は、雨樋用保持具１を鼻板に取り付けるために用いられる部分である。取付部４１は、例えば、ねじや釘等で鼻板に取り付けられる。挿入部４２は、取付部材２のアーム部２２と軒樋保持部材３の可動支持部３１との間に挿入される部分である。また、延長部４３は、取付部４１と挿入部４２とを連結している部分である。
【００５８】
実施の形態１では、取付部材２の基台部２１が開口部２５を有するか否かは任意の構成であったが、実施の形態２においては、基台部２１は、挿入部４２が挿入可能な開口部２５を有していることが必須の構成である。
【００５９】
挿入部４２を基台部２１の開口部２５から挿入し、アーム部２２と可動支持部３１との間で設置することで、基台部２１よりも取付部４１が後方に位置した状態で雨樋用保持具１を鼻板に設置することが可能となる。
【００６０】
取付部４１を、基台部２１より後方に位置した状態で雨樋用保持具１を鼻板に設置できるため、鼻板から屋根先までの距離が特に長いような場合であっても、鼻板から屋根先の距離に合わせて、軒樋６を屋根先付近に保持するように調整することが可能となる。
【００６１】
つまり、実施の形態２に係る雨樋用保持具１を用いれば、実施の形態１に係るものよりも、鼻板から屋根先までの距離がより長い場合でも、適切に雨樋用保持具１の設置をすることができる。
【００６２】
取付部材２のアーム部２２と、軒樋保持部材３の可動支持部３１と、延長用取付部材４の挿入部４２とは、ねじ８によって設置される。延長用取付部材４の挿入部４２には、ねじ８のねじ部分が挿入可能で、ねじ８のねじ頭部分は挿入不可である大きさのねじ用孔４４が開口している。
【００６３】
ねじ用孔４４が前後方向に細長い孔となっていることで、ねじ８をねじ用孔４４及びねじ用孔３３に挿入し、ねじ固定部２６に螺合することで、取付部材２に軒樋保持部材３及び延長用取付部材４を前後方向にスライド可能に設置することができる。
【００６４】
このように、延長用取付部材４が、取付部材２に前後方向にスライド可能に設置されていることで、鼻板から屋根先までの距離が特に長い場合であっても、鼻板から屋根先までの長さに合わせて、軒樋６を屋根先付近に保持するように調整することが可能となる。
【００６５】
［延長用取付部材］
延長用取付部材４は、鼻板と屋根先との距離が特に遠い場合でも、雨樋用保持具１を適切に設置するための部材である。延長用取付部材４は、例えば、金属や樹脂等の素材からなる。延長用取付部材４は、取付部４１と、挿入部４２と、延長部４３とを備える。
【００６６】
取付部４１は、鼻板に雨樋用保持具１を設置するための部分である。取付部４１は、取り付けるための孔が開いており、その孔を通してねじや釘等を鼻板に打ち込むことで、雨樋用保持具１が、鼻板に取り付けられる。なお、取付部４１は、ねじや釘等を用いず、例えば、接着剤等で鼻板に取り付けてもよい。
【００６７】
挿入部４２は、基台部２１の開口部２５に挿入され、また、アーム部２２と可動支持部３１との間に挿入される部分である。挿入部４２が開口部２５を通ってアーム部２２と可動支持部３１とに挟まれて設置されることで、取付部４１が基台部２１より後方に位置することとなる。
【００６８】
取付部４１が基台部２１よりも後方に位置することで、鼻板と屋根先の距離が特に長い場合であっても、鼻板から屋根先の距離に合わせて、軒樋６を屋根先付近に保持するように調整することが可能となる。
【００６９】
挿入部４２には、ねじ８のねじ部分が挿入可能で、ねじ８のねじ頭部分は挿入不可である大きさのねじ用孔４４が開口している。ねじ用孔４４が前後方向に細長い孔となっていることで、ねじ８をねじ用孔４４とねじ用孔３３とねじ固定部２６とに挿入することで、取付部材２に軒樋保持部材３及び延長用取付部材４を前後方向にスライド可能に設置することができる。
【００７０】
なお、実施の形態２においては、可動支持部３１に開口したねじ用孔３３については、前後方向に細長い孔ではなく、軒樋保持部材３が取付部材２にスライドできないように設置されていてもよい。
【００７１】
延長部４３は、取付部４１と挿入部４２とを連結している部分である。延長部４３の構成としては、例えば図３に示すように、挿入部４２と延長部４３とが略同一直線となることで、延長用取付部材４全体で、側面視Ｌ字状となる構成を採用することができる。挿入部４２と延長部４３とを同時に構成することができ、曲げ加工等を少ない工程で延長用取付部材４を成形することができる。
【００７２】
延長部４３の構成としては、また、例えば図４に示すように、挿入部４２から下方向に
延出した後に、後方向に延出して取付部４１に連結することで、挿入部４２と延長部４３とで側面視Ｚ字状となる構成を採用してもよい。側面視Ｚ字状の延長用取付部材４を用いれば、鼻板の屋根下地付近に取付部４１を取り付けることを妨げる障害物がある場合であっても、その障害物の下に取付部４１を取り付けることが可能になる。
【００７３】
（実施の形態に係る雨樋用保持具の効果等）
ここで、上述した実施の形態２に係る雨樋用保持具１の要点について、あらためて説明する。
【００７４】
実施の形態２に係る雨樋用保持具１は、実施の形態１に係るものに加え、さらに、延長用取付部材４を備える。延長用取付部材４は、鼻板に取り付けるための取付部４１と、前方に延びた挿入部４２と、取付部４１と挿入部４２との間の延長部４３と、を有する。基台部２１には、挿入部４２を挿入可能な開口部２５が設けられている。延長用取付部材４は、挿入部４２がアーム部２２と可動支持部３１との間で保持されることで、取付部４１が基台部２１よりも後方にある状態で、アーム部２２に前後方向にスライド可能に設置される。
【００７５】
上記構成を有する雨樋用保持具１を用いれば、鼻板から屋根先までの距離が特に長いような場合であっても、鼻板から屋根先の距離に合わせて、軒樋６を屋根先付近に保持するように調整することが可能となる。
【００７６】
また、実施の形態２に係る雨樋用保持具１は、延長用取付部材４は、挿入部４２と延長部４３とが略同一直線となることで、側面視Ｌ字状であることが好ましい。
【００７７】
上記構成によって、挿入部４２と延長部４３とを同時に構成することができ、曲げ加工等を少ない工程で延長用取付部材４を成形することができる。
【００７８】
また、実施の形態２に係る雨樋用保持具１は、延長部４３は、挿入部４２から下方に延出した後に、後方に延出していることも好ましい。
【００７９】
上記構成により、鼻板の屋根下地付近に取付部４１を取り付けることを妨げる障害物がある場合であっても、その障害物の下に取付部４１を取り付けることが可能になる。
【００８０】
また、実施の形態２に係る雨樋用保持具１は、アーム部２２と可動支持部３１と挿入部４２とは、ねじ８により固定されることが好ましい。そして、挿入部４２に、前後方向に細長いねじ用孔４４があることで、延長用取付部材４がアーム部２２に前後方向にスライド可能に設置されることが好ましい。
【００８１】
上記構成により、ねじ用孔４４が前後方向に細長い孔となっていることで、ねじ８をねじ用孔４４及びねじ用孔３３に挿入し、ねじ固定部２６に螺合することで、取付部材２に軒樋保持部材３及び延長用取付部材４を前後方向にスライド可能に設置することができる。従って、鼻板から屋根先までの長さに合わせて、軒樋６を屋根先付近に保持するように調整することが可能となる。
【００８２】
（その他の実施の形態）
以上、実施の形態１及び２を用いて、本発明に係る雨樋用保持具１について説明してきた。しかしながら、雨樋用保持具１の実施態様は、実施の形態１及び２に限定されるものではない。
【００８３】
例えば、実施の形態１では、雨樋用保持具１は、取付部材２と軒樋保持部材３とを別体
として備えていたが、取付部材２と軒樋保持部材３とは一体となっていてもよい。この場合、雨樋用保持具１は、基台部２１と支持部７の保持部３２と水切り部材５とを備え、支持部７の上面の第１係止部２３及び第２係止部２４によって水切り部材５が設置される。
【００８４】
また、実施の形態１及び２では、取付部材２と軒樋保持部材３とをねじ８により設置する構成を説明してきたが、取付部材２と軒樋保持部材３とを設置する方法は、これに限定されない。例えば、軒樋保持部材３の可動支持部３１の上面が前後方向に延びた断面形状Ｔ字状の突出部を有し、取付部材２のアーム部２２の下面には、そのＴ字状の突出部が嵌め込める断面Ｔ字状の空間があるような構成を採用してもよい。
【００８５】
この構成により、可動支持部３１のＴ字状突出部をアーム部２２のＴ字状の空間に嵌めこむことで、軒樋保持部材３を取付部材２に前後方向にスライド可能に保持することができる。
【００８６】
上記構成は、取付部材２と延長用取付部材４との設置、或いは、延長用取付部材４と軒樋保持部材３との設置についても用いることができる。そうすれば、取付部材２と延長用取付部材４とをスライド可能に設置することができ、また、延長用取付部材４と軒樋保持部材３とをスライド可能に設置することができる。
【００８７】
また、実施の形態１及び２においては、支持部７は、基台部２１の上端部から延出しているが、支持部７が延出する基台部２１の部位はこれに限定されない。例えば、支持部７は、基台部２１の下端部から延出していてもよく、或いは、基台部２１の中間部分から延出していてもよい。これらの場合は、第１係止部２３は、支持部７と基台部２１との境界付近の支持部７の上面に設けられる。
【００８８】
また、実施の形態１及び２においては、軒樋６をその前壁の上端部及び後壁の上端部によって引っ掛けて吊るすように保持する構成を説明したが、保持部３２の構成はこれに限定されない。例えば、保持部３２が軒樋６の前壁の一部と下壁と後壁の一部に沿った形状となっており、その保持部３２で軒樋６を受け止める形で保持するような構成を採用してもよい。
【００８９】
なお、上述の実施の形態１及び２については、本発明の実施態様の例示に過ぎず、数値や形状等についても好ましいものの例示に過ぎず、本発明はこれらの実施の形態にのみ限定されるものではない。本発明の技術的思想の範囲を逸脱しない範囲で、構成に適宜変更を加えることは可能である。
【符号の説明】
【００９０】
１        雨樋用保持具
２１      基台部
２２      アーム部
２３      第１係止部
２４      第２係止部
２５      開口部
３１      可動支持部
３２      保持部
３３      ねじ用孔
４        延長用取付部材
４１      取付部
４２      挿入部
４３      延長部
４４      ねじ用孔
５        水切り部材
６        軒樋
７        支持部
８        ねじ
【図１】
2019100029.tif 000003
【図２】
2019100029.tif 000004
【図３】
2019100029.tif 000005
【図４】
2019100029.tif 000006